(57)【特許請求の範囲】
【請求項１】
建築物の表面を緑化する為に該建築物表面に並設される複数の緑化パネルを構成する個々の緑化パネルにおいて、前記緑化パネルは透水繊維材と、表面に１つまたは複数の孔を有する略板状の繊維固定台と、凹型の緑化トレイと、前記透水繊維材を複数束ねて前記繊維固定台の孔周縁に固定するための透水繊維材固定手段と、地被植物と、からなり、
前記透水繊維材固定手段は、前記繊維固定台に対してスライド自在に設けられたスライド板であり、このスライド板が前記繊維固定台に対してスライドすることで前記透水繊維材を前記孔周縁に挟持固定することを特徴とする緑化パネル。
【請求項２】
前記緑化トレイは並設したときに対面する側面にそれぞれ所定の位置に切り欠き部もしくは孔を設けるとともに前記切り欠き部もしくは前記孔に前記緑化パネルを相互に連結するための連結構造部を有することを特徴とする請求項１記載の緑化パネル。
【請求項３】
前記緑化トレイは前記連結構造部に土壌流出防止構造を有することを特徴とする請求項２記載の緑化パネル。
【請求項４】
前記繊維固定台はその端部に曲げ構造を有すると共に、前記曲げ構造部に取っ手構造を有していることを特徴とする請求項１乃至３のいずれかに記載の緑化パネル。
【請求項５】
前記緑化トレイ、または該緑化トレイ及び前記繊維固定台に配管配置部を有することを特徴とする請求項１乃至４のいずれかに記載の緑化パネル。
【発明の詳細な説明】
【０００１】
【発明の属する技術分野】
本発明は、建物の屋上等の人工地盤上に設けて、植物栽培特に地被植物を育成する緑化パネルに関するものである。
【０００２】
【従来の技術】
従来、建物の屋上、ベランダ等の人工地盤に植物を栽培する場合には、緑化パネルを用いていたが、この場合、水漏れ、植物の根の流出などの問題があり、これを防ぐために防水層および防根層を施したあとで緑化パネルに土壌を盛り、その上に植物を栽培していた。
【０００３】
しかし、土壌を盛る従来の緑化パネルは、土壌の重量が大きいため建築物上に敷設するには適用し難く、また、防水層、防根層を施すという大掛かりな施工が必要となり、非常に多大な時間と労力を要するものであるが、他に適切なものが世間に出ていないため、これを使用する他なかったのが現状であった。
【０００４】
このように、従来の緑化パネルは人工地盤に敷設するには不適当であるだけでなく、日常の栽培管理として、給水や土壌、根流出等の管理といった多大な労力を要するメンテナンス作業が必要であり、それに伴うランニングコストの負担も大きいものであった。
【０００５】
【発明が解決しようとする課題】
そこで、本発明は上記の問題点に鑑みてなされたもので、人工地盤上での植栽を可能にするため、土壌や根の流出の防止もでき、水分供給の管理が容易であり、さらには敷設、撤去に多大な労力、時間やコストを要さない緑化パネルを構成する緑化パネルを提供することを目的とする。
【０００６】
【課題を解決するための手段】
上記目的を達成するために本発明の緑化パネルは、以下の構成を備える。すなわち、
請求項１の発明では、建築物の表面を緑化する為に該建築物表面に並設される複数の緑化パネルを構成する個々の緑化パネルにおいて、前記緑化パネルは透水繊維材と、表面に１つまたは複数の孔を有する略板状の繊維固定台と、凹型の緑化トレイと、前記透水繊維材を複数束ねて前記繊維固定台の孔周縁に固定するための透水繊維材固定手段と、地被植物と、からなり、前記透水繊維材固定手段は、前記繊維固定台に対してスライド自在に設けられたスライド板であり、このスライド板が前記繊維固定台に対してスライドすることで前記透水繊維材を前記孔周縁に挟持固定することを特徴とする。
【０００７】
請求項２の発明では、前記緑化トレイは並設したときに対面する側面にそれぞれ所定の位置に切り欠き部もしくは孔を設けるとともに前記切り欠き部もしくは前記孔に前記緑化パネルを相互に連結するための連結構造部を有することを特徴とする。
【０００８】
請求項３の発明では、前記緑化トレイは前記連結構造部に土壌流出防止構造を有することを特徴とする。
【０００９】
請求項４の発明では、前記繊維固定台はその端部に曲げ構造を有すると共に、前記曲げ構造部に取っ手構造を有していることを特徴とする請求項１乃至３のいずれかに記載の緑化パネル。
【００１０】
請求項５の発明では、前記緑化トレイ、または該緑化トレイ及び前記繊維固定台に配管配置部を有することを特徴とする。
【００１１】
【発明の実施の形態】
以下、本発明に係わる緑化パネルの第１の実施の形態を図１を用いて、第２の実施の形態を図３を用いて、第３の実施の形態を図４を用いて、第４の実施の形態を図５を用いて、第５の実施の形態を図６を用いて、それぞれ説明する。
【００１２】
（第１実施形態）
本発明の第１の実施の形態は、図１に示すように地被植物１０と透水繊維材２０と繊維固定台３０と緑化トレイ４０と透水繊維材固定手段５０と、から構成されるものである。
【００１３】
小さな穴のあいた管状のものを水中に浸らせると、その穴内部の水の液面が上昇する現象が毛細管現象である。本発明で用いられる透水繊維材２０は、小さな穴のあいた管状のものであり、上記の説明のように毛細管現象を起こすことができる。
【００１４】
本発明の緑化パネルは、地被植物１０への水分の供給において、この毛細管現象を利用している。すなわち、小さな穴のあいた透水繊維材２０を多数束ねて、地被植物に必要な水分を供給する。そこで、複数の透水繊維材２０を束ねて繊維固定台３０の孔３１に挿入し、孔３１の孔周縁に透水繊維材固定手段５０で固定する。このように、透水繊維材２０を設置し、じょうろ等を用いて緑化トレイ４０に水を供給することで、緑化トレイ４０に水を貯めることができ、その水を透水繊維材２０が毛細管現象により吸水し地被植物１０に供給している。
【００１５】
図２に透水繊維材固定手段５０として結束バンド５１を用いた時の実施例を示す。
【００１６】
図２（ａ）は、透水繊維材固定手段５０により繊維固定台３０の孔３１の孔周縁に固定された状態の透水繊維材２０の断面を示した図である。
【００１７】
図２（ｂ）に示すように、繊維固定台３０に挿入された透水繊維材２０の根元すなわち孔３１の孔周縁を結束バンド５１を用いることで固定している。
【００１８】
また、他の透水繊維材固定手段５０として、繊維固定台３０にスライド板５３を内蔵させ、スライド板５３をスライドさせることで透水繊維材２０を固定するスライド式による固定を図２（ｃ）に示す。
【００１９】
図３（ａ）に示すようにストッパー構造５４を備えた繊維固定台３０に、図３（ｂ）に示すようにスライドレバー５２が設けられるとともに繊維固定台３０と同数だけ穴のあいたスライド板５３を繊維固定台３０に収納したものにより透水繊維材２０を狭持固定する。
【００２０】
ストッパー構造５４は、透水繊維材２０の種類や量に応じてスライドレバー５２の位置を止める位置を段階的に調整できるようになっている。図３では、ストッパー構造５４は、３段階であるが、本発明はこれに限られるものではない。
【００２１】
図３（ｃ）に示すようにスライドレバー５２をストッパー構造５４のある位置から次の位置に移すには、スライドレバー５２を持ち上げ、横方向にスライドさせ、下におろし、ストッパー構造５４で固定することで、スライド板５３がスライドし、図３（ｄ）のようになり、透水繊維材２０を狭持固定する。
【００２２】
このような透水繊維材固定手段５０により透水繊維材２０の束を繊維固定台３０の孔３１の孔周縁に固定し、繊維固定台３０から透水繊維材２０が容易に抜けるのを防ぐことができる。
【００２３】
また、透水繊維材２０はその下端が緑化トレイ４０の底面に接触するように透水繊維材固定手段を用いて繊維固定台３０に固定される。これにより、束の透水繊維材２０による毛細管現象を利用して緑化トレイ４０の底部に水が少量しか残っていないような場合でも確実に吸水することができる。
【００２４】
繊維固定台３０は、透水繊維材固定手段５０により透水繊維材２０を固定しているだけでなく、透水繊維材２０の固定された孔３１以外は、緑化トレイ４０における繊維固定台３０で区切られた上部と下部に空間を仕切るので、繊維固定台３０の上部に設置された地被植物１０の根が、繊維固定台３０の下部に進出することを防止できる。
【００２５】
透水繊維材２０の束のそれぞれの隙間には、人工土壌等をばら撒くのであるが、透水繊維材２０の体積分だけ土壌が少なくてすむので、従来工法より軽量となる。また、繊維固定台３０の下部に水を貯めておくことができるので、水分の供給などのメンテナンス作業を省力化することができるとともに、植物の根が常に水に浸かっている状態を回避することでき、植物の根腐れを防止することができる。
【００２６】
本実施の形態により、植物に供給する水を緑化トレイ４０に貯水しておくことができるとともに、根腐れの防止を図ることができ、メンテナンス作業を省力化することができる。
【００２７】
（第２実施形態）
本発明の第２の実施の形態である緑化パネルについて、図４に基づいて説明する。
【００２８】
図４（ａ）に示すように、緑化トレイ４０には隣り合う２側面の所定の位置に孔である流水口４１を設け、流水口４１には緑化パネルを相互に連結するための連結構造部として鍵状連結部４１ａを設け、残りの隣り合う２側面に孔である流水口４２を設けている。流水口４１と流水口４２を孔で構成すれば、緑化トレイ４０を手で持つときに持ちやすくなるなど施工面で容易になるという効果が得られる。
【００２９】
図４（ａ）に示す緑化パネルの流水口４１のＢ−Ｂ’部 、流水口４２のＣ−Ｃ’部の断面を示すのが、それぞれ図４（ｃ）、図４（ｂ）である。図４（ｄ）は、並設された緑化パネルを流水口４１に備えられた鍵状連結部４１ａにより流水口４２と連結されたときの連結部の断面を示す図である。
【００３０】
また、図４（ｄ）に示すように、複数の緑化パネルの流水口４１と流水口４２が対面するように隣接するように設置されたとき、流水口４１と流水口４２が連結されることで、例えばじょうろ等を用いて、連結されていない１つの流水口４１もしくは流水口４２から水を緑化トレイ４０に供給し、緑化トレイ４０の水位が流水口４１もしくは流水口４２の高さHを超えると、流水口４１から流水口４２へ、または逆へ、並接する緑化パネルへ水が流れる。
【００３１】
緑化パネルを鍵状連結部４１ａにより連結することで、全ての緑化パネルが同一水平面に置かれていれば、１つの緑化パネルに給水することで、緑化パネル全体にほぼ均一に水を貯めることができる。つまり、個々の緑化パネルで貯水量の偏りが生じない。また、複数連結された緑化パネルのうち連結されていない流水口４１もしくは流水口４２から給水を行うことで、流水口４１に設けられた連結部を通じて複数連結された緑化パネルに流水させることができるので、１つの緑化パネルの流水口４１もしくは流水口４２から給水することで連結された複数の緑化パネルに流水させることができるので、個々の緑化パネルに給水する作業を省力化することができる。また、芝等が偏って育つことを防ぐことができ、均一な芝面の育成が期待できる。
【００３２】
また、緑化パネルを連結することで、全体が１つの緑化パネルとなり、人の足で踏まれたときに簡単にずれたりするのを防ぐことができる。
【００３３】
なお、流水口４１もしくは流水口４２を孔の形状とし、断面厚さでみてＲ形状にすることで、手で持つときに持ちやすくなる効果が生まれ、移設増設撤去時に取り付けや取り外しが容易に行える。
【００３４】
（第３実施形態）
本発明の第３の実施の形態である緑化トレイ４０の側面に設けられた流水口４１に土壌流出防止構造４３を備えた緑化トレイ４０について、図５に基づいて説明する。
【００３５】
緑化トレイ４０の流水口４１に設けられた土壌流出防止構造４３は、例えば網状体のものであり、この網状体が流水口４１に張設されるものである。
【００３６】
この土壌流出防止構造４３により、緑化パネルに盛られた土壌が流出した場合、この網状体で流出防止することが可能となり、連結された他の緑化パネルに土壌が流れ込むことを防止することができる。
【００３７】
（第４実施形態）
本発明の第４の実施の形態である繊維固定台３０の曲げ構造部３２に取っ手構造部３３を設けた繊維固定台３０について、図６に基づいて説明する。
【００３８】
図６（ａ）に示すように繊維固定台３０の曲げ構造部３２に部分的な窪み、または図６（ｂ）に示すように曲げ構造部３２全部に窪みを設けることにより、繊維固定台３０を持ち運びしやすくする。取っ手構造部３３のＥ−Ｅ’部の断面を示すのが図６（ｃ）である。この取っ手構造部３３により、初期施工時の繊維固定台３０の取扱いが容易になる。
【００３９】
（第５実施形態）
本発明の第５の実施の形態である繊維固定台３０、または繊維固定台３０及び緑化トレイ４０の両方に切り欠き部を設けた緑化パネルについて、図７に基づいて説明する。
【００４０】
図７（ａ）の緑化パネルの中央部の断面を示すのが、図７（ｂ）であり、図７（ｂ）に示す緑化トレイ４０の切り欠き部４４と繊維固定台３０の切り欠き部３４について、給水管４５を設置した場合の拡大図がそれぞれ図７（ｃ）、図７（ｄ）である。
【００４１】
緑化トレイ４０の切り欠き部４４と、繊維固定台３０に設けられた切り欠き部３４は、給水管４５を緑化パネル内部に埋設するための収納スペースとするものである。
【００４２】
この切り欠き部３４、４４に給水管４５を設置することで、緑化パネルにおいて地被植物を栽培するために必要な水分を緑化パネル内部に埋設された給水管４５を用いて緑化パネルに給水することが可能となり、散水作業を省力化することができる。この場合も、緑化パネル全てに給水管を配設する必要はなく、連結された緑化パネルのうちいくつかの緑化パネルに給水管を配設しておくだけで、連結された緑化パネル全体にほぼ均一に水を給水することができる。また、給水管４５を緑化パネル内部に埋設することで、人の足で踏まれることなどにより給水管４５にかかる上部からの圧力を軽減でき、給水管４５を保護することができる。
【００４３】
また、給水管４５を緑化パネル内部に埋設し上部から見えなくすることで外観上の美観を向上させることができる。
【００４４】
【発明の効果】
本発明の緑化パネルは、繊維固定台により、緑化トレイと繊維固定台との間に設けられた空間に水を貯水しておくことができるので、水分補給といった面で日常管理が容易になると同時に、植物の根が常に水に触れていることで根腐れすることを防止することができる。さらに、緑化パネルを複数連結することで大規模な植栽を可能にするユニット工法であるため、省施工、短期間の工期で完了し、また移設、増設、撤去等も容易に行うことができる。
【図面の簡単な説明】
【図１】本発明に係わる緑化パネルの第１の実施の形態を示す図である
【図２】本発明に係わる透水繊維材を透水繊維材固定手段で固定した断面を示す図である
【図３】本発明に係わる透水繊維材のスライド式による固定を示す図である
【図４】本発明に係わる緑化パネルの第２の実施の形態を示す図である
【図５】本発明に係わる緑化パネルの第３の実施の形態を示す図である
【図６】本発明に係わる緑化パネルの第４の実施の形態を示す図である
【図７】本発明に係わる緑化パネルの第５の実施の形態を示す図である
【符号の説明】
１０ 地被植物
２０ 透水繊維材
３０ 繊維固定台
３１ 孔
３２ 曲げ構造部
３３ 取っ手構造部
３４ 切り欠き部
４０  緑化トレイ
４１ 鍵状連結部を備えた流水口
４１ａ  鍵状連結部
４２ 鍵状連結部と勘合する流水口
４３  土壌流出防止構造
４４ 切り欠き部
４５  給水管
５０ 透水繊維材固定手段
５１ 結束バンド
５２ スライドレバー
５３ スライド板
５４ ストッパー構造
【図１】
0004325093.tif 000002
【図２】
0004325093.tif 000003
【図３】
0004325093.tif 000004
【図４】
0004325093.tif 000005
【図５】
0004325093.tif 000006
【図６】
0004325093.tif 000007
【図７】
0004325093.tif 000008